(57)【特許請求の範囲】
【請求項１】
２つのケースパーツの接合により外部から隔離された収容空間をその内部に形成するとともに、前記各ケースパーツに操作ボタン用の孔が形成されたケースと、前記各ケースパーツの孔に挿入された操作ボタンと、前記収容空間に配設された電池ホルダと、を備えた電子機器の防水構造であって、
前記電池ホルダは、前記ケースを前記２つのケースパーツに分解して得られる前記収容空間の断面形状に対応した外形を有するとともに周縁部を有し、前記収容空間を一方のケースパーツ側と他方のケースパーツ側とに仕切るように前記収容空間内に配設され、
前記各ケースパーツの内面には、前記操作ボタンの前記収容空間側から前記電池ホルダの周縁部へ延設されて前記各ケースパーツの内面全体を覆う本体部と、該本体部の先端部から前記電池ホルダの周縁部の全周にわたって延設されたフランジと、からなる防水体が配設され、
前記各防水体のフランジは、前記電池ホルダの周縁部をその両面から挟み込んだ状態で配置されていることを特徴とする電子機器の防水構造。
【発明の詳細な説明】
【０００１】
【発明の属する技術分野】
本発明は電子機器、例えば自動車に装備された電装品を遠隔操作するための送信機の防水構造に関する。
【０００２】
【従来の技術】
従来の自動車用の送信機には、例えば図４（ａ）〜（ｃ）および図５に示すごとく表裏の２つのケースパーツ３１，３２の接合により、例えば細長い直方体形状の収容空間３４を形成して組み立てられるケース３３を備えたものが知られている。
【０００３】
すなわち、この送信機３０では、表のケースパーツ（以下、表ケースと記す）３１、裏のケースパーツ（以下、裏ケースと記す）３２がそれぞれ断面略コ字状に形成されている。よってケース３３の内部には、表ケース３１の内面と裏ケース３２の内面とにより仕切られて外部から隔離された収容空間３４が形成されている。また表ケース３１および裏ケース３２は、あいじゃくり形式によって接合されるようにおのおのの接合端面３１ａ，３２ａが切り欠かれるとともに、操作ボタン用の孔３１ｂ，３２ｂがそれぞれ設けられたものとなっている。
【０００４】
表ケース３１の孔３１ｂには、ゴム製の操作ボタン３５が挿入された状態で配置されるようになっており、また表ケース３１の内面全体は、操作ボタン３５と一体的に形成されたゴム製の防水体３７で覆われている。この防水体３７は、さらに表ケース３１の接合端面３１ａにまで延設され、接合端面３１ａの内側全周にわたって形成されている。よって表ケース３１と裏ケース３２とが接合された状態では、防水体３７に裏ケース３２の接合端面３２ａの一部が当接し、これによって接合部分が封止されると同時に、孔３１ｂと操作ボタン３５との隙間から収容空間３４側への水及び湿気の浸入が防止されるようになっている。
【０００５】
一方、裏ケース３２の孔３２ｂにも、ゴム製の操作ボタン３６が挿入された状態で配置されるようになっており、この操作ボタン３６の収容空間３４側には、孔３２ｂを覆い、孔３２ｂの周りの裏ケース３２の内面に当接する延出部３６ａが設けられている。そして延出部３６ａよりも収容空間３４側には、延出部３６ａを覆って孔３２ｂと操作ボタン３６との隙間からの水及び湿気の浸入を防止する固定パーツ３８が接着剤等を用いてあるいは溶着により取り付けられている。
【０００６】
上記のように収容空間３４が防水された構造となっている送信機３０では、収容空間３４の表ケース３１よりにプリント配線板３９が配置されている。プリント配線板３９には、操作ボタン３５，３６と対向する箇所にスイッチ４０が形成されており、ボタン操作に応じた信号を出力するようになっている。さらに収容空間３４のプリント配線板３９より裏ケース３２側には、電池４１を保持する電池ホルダ４２がプリント配線板３９の一部を覆う状態で配設されている。
【０００７】
【発明が解決しようとする課題】
ところが、上記した従来の送信機の防水構造では、裏ケース３２の孔３２ｂ付近を防水するために専用の固定パーツ３８を使用している。このような部品は、高価で定期的なメンテナンスが必要である金型を用いて製作されることが多い。よって、製造コストが嵩むという不都合が生じている。また固定パーツ３８を接着剤等を用いて固定する処理が必要なため、製造効率が悪く、さらにはランニングコストを要するという不具合も生じている。
【０００８】
上記問題の解決策として、例えばゴムまたはエラストマにより裏ケース３２と固定パーツ３８とを一体成形することが考えられる。しかしながら、これらを一体成形しようとすると高価な金型が新たに必要となるため、得策ではない。
【０００９】
また、上記した従来の送信機の防水構造では、プリント配線板３９の一部が電池ホルダ４２により覆われているだけであり、電池４１の交換の際にはプリント配線板３９の多くの部分が外部に露出する。そのため、電池交換時に人やその他外部から侵入する静電気により、プリント配線板３９に形成された回路等が破壊される確率が高いという不都合もあった。さらに、裏ケース３２の内面は何ら保護されていないため、舗装された道路に落下させた場合等の衝撃に弱く、電子機器が壊れやすいといった難点も有している。
【００１０】
したがって、安価に製造できるとともに電子部品の収容空間を確実に防水することができ、しかも静電破壊の発生率を低減できて衝撃にも強い電子機器の防水構造の開発が期待されている。
【００１１】
【課題を解決するための手段】
本発明は上記課題を解決するためになされたものであって、本発明に係る電子機器の防水構造は、２つのケースパーツの接合により外部から隔離された収容空間をその内部に形成するとともに、前記各ケースパーツに操作ボタン用の孔が形成されたケースと、前記各ケースパーツの孔に挿入された操作ボタンと、前記収容空間に配設された電池ホルダと、を備えた電子機器の防水構造であって、前記電池ホルダは、前記ケースを前記２つのケースパーツに分解して得られる前記収容空間の断面形状に対応した外形を有するとともに周縁部を有し、前記収容空間を一方のケースパーツ側と他方のケースパーツ側とに仕切るように前記収容空間内に配設され、前記各ケースパーツの内面には、前記操作ボタンの前記収容空間側から前記電池ホルダの周縁部へ延設されて前記各ケースパーツの内面全体を覆う本体部と、該本体部の先端部から前記電池ホルダの周縁部の全周にわたって延設されたフランジと、からなる防水体が配設され、前記各防水体のフランジは、前記電池ホルダの周縁部をその両面から挟み込んだ状態で配置されていることを特徴としている。
【００１２】
上記した本発明に係る電子機器の防水構造では、電池ホルダが、前記ケースを前記２つのケースパーツに分解して得られる前記収容空間の断面形状に対応した外形を有するとともに周縁部を有し、前記収容空間を一方のケースパーツ側と他方のケースパーツ側とに仕切るように前記収容空間内に配設されているため、ケースを２つのケースパーツに分解した状態にて電池ホルダの外部に露出する側と反対側の収容空間にプリント配線板が配置されていれば、電子機器を分解した状態でも前記プリント配線板のほとんどが電池ホルダで覆われて外部に露出しない。
【００１３】
また各ケースパーツの防水体の本体部が、操作ボタンの収容空間側から電池ホルダの周縁部へと、ケースパーツの内面全体を覆うように延設されて操作ボタンと一体的に形成されているため、各ケースパーツの操作ボタン用の孔とこの孔に挿入された操作ボタンとの隙間からの水および湿気の浸入が防止される。また、操作ボタンと防水体とが一体的に形成されていることから、従来のようにケースパーツの操作ボタン用の孔付近を防水するための専用の固定パーツを必要としない。よって、製造にあたり、固定パーツを接着剤等を用いて固定する処理を行わずに済む。また前記ケースの内面全体が前記防水体で保護されるため、落下等の衝撃に強い。
【００１４】
さらに電池ホルダの周縁部が薄肉平板状に形成され、電池ホルダの周縁部の全周にわたって形成された前記防水体のフランジが電池ホルダの周縁部をその両面から挟み込む状態で配置されていることから、電池ホルダの周縁部付近が確実に封止された状態になっている。よって、万が一、２つのケースパーツを接合させた部分から水が浸入しても、前記収容空間への水および湿気の浸入が確実に阻止される。
【００１５】
【発明の実施の形態】
以下、本発明に係る電子機器の防水構造の実施の形態を図面に基づいて説明する。
図１は実施の形態に係る送信機の防水構造を示す断面図であり、図２は図１に示した送信機の防水構造の要部を示す拡大断面図である。
図中１０は送信機を示しており、送信機１０は、例えば細長い略中空直方体形状をしたケース１１と、操作ボタン１５，１６と、電池ホルダ１７と、防水体１８，１９と、プリント配線板２０とを含んで構成されている。
【００１６】
ケース１１は、例えばプラスティックで形成されており、表裏の２つのケースパーツ１２，１３の接合により組み立てられ、構成されるものとなっている。この表のケースパーツ（以下、表ケースと記す）１２、裏のケースパーツ（以下、裏ケースと記す）１３はそれぞれ、平板部１２ａ，１３ａと、これら平板部１２ａ，１３ａの周縁から立ち上がった立ち上がり部１２ｂ，１３ｂとから断面視略コ字状に形成されている。よってケース１１の内部には、表ケース１２と裏ケース１３とにより仕切られて外部から隔離された細長い略直方体形状をした収容空間１４が形成されている。
【００１７】
また表ケース１２および裏ケース１３それぞれの立ち上がり部１２ｂ，１３ｂの先端部、つまり接合端面１２ｃ，１３ｃは、表ケース１２および裏ケース１３があいじゃくり形式によって接合されるようにそれぞれの一部が切り欠かれた形状となっている。また表ケース１２および裏ケース１３それぞれの立ち上がり部１２ｂ，１３ｂの内面には、接合端面１２ｃ，１３ｃに隣接して防水体１８，１９の後述するフランジ１８ｂ，１９ｂと係合する段部１２ｄ，１３ｄが形成されている。さらに表ケース１２および裏ケース１３それぞれの平板部１２ａ，１３ａには、操作ボタン用の孔１２ｅ，１３ｅが設けられている。
【００１８】
操作ボタン１５，１６は、絶縁性の弾性部材、例えばゴムで形成されており、表ケース１２の孔１２ｅ、裏ケース１３の孔１３ｅに挿入された状態で保持されるようになっている。また後に説明するが、操作ボタン１５，１６はそれぞれ防水体１８，１９と一体的に形成されたものとなっている。
【００１９】
電池ホルダ１７は、ケース１１を分解したときの表ケース１２側の斜視図である図３に示すように、ケース１１を表ケース１２および裏ケース１３に分解して得られる収容空間１４の断面にほぼ等しい大きさの外形を有したものとなっている。この電池ホルダ１７には、電池を保持するための例えば凹状の保持部１７ａが形成されるとともに、裏ケース１３の孔１３ｅに挿入された操作ボタン１６とほぼ一致する箇所に貫通孔１７ｂが形成されている。また電池ホルダ１７の周縁部１７ｃは薄肉平板状に形成されている。
【００２０】
そして、このような電池ホルダ１７は、収容空間１４を表ケース１２側と裏ケース１３側とに仕切るように収容空間１４内に配設されている。本実施の形態では、例えば薄肉平板状の周縁部１７ｃの両面が表ケース１２、裏ケース１３の平板部１２ａ，１３ａとほぼ平行に配設されている。
【００２１】
防水体１８，１９はそれぞれ、表ケース１２の内面、裏ケース１３の内面に密接した状態で配置されている。一方の防水体１８は、操作ボタン１５の収容空間１４側から電池ホルダ１７の周縁部１７ｃへ延設され、表ケース１２の内面に密接した状態でこの内面全体を覆う本体部１８ａと、本体部１８ａの先端部から電池ホルダ１７の周縁部１７ｃの全周にわたって外向きに延設され、かつ表ケース１２の段部１２ｄと係合するフランジ１８ｂとから構成されている。また、防水体１８の本体部１８ａには、フランジ１８ｂよりも表ケース１２の平板部１２ａ側に、上記プリント配線板２０の一面側の周縁部と当接してプリント配線板２０を表ケース１２、裏ケース１３の平板部１２ａ，１３ａとほぼ平行な状態に支持する段部１８ｃが形成されている。このように防水体１８は、操作ボタン１５と一体的に形成され、操作ボタン１５と同様の材料、例えば絶縁性を有する弾性部材であるゴムで形成されたものとなっている。
【００２２】
他方の防水体１９も防水体１８と同様に、操作ボタン１６の収容空間１４側から電池ホルダ１７の周縁部へ延設され、裏ケース１３の内面に密接した状態でこの内面全体を覆う本体部１９ａと、本体部１９ａの先端部から電池ホルダ１７の周縁部１７ｃの全周にわたって外向きに延設され、裏ケース１３の段部１３ｄと係合するフランジ１９ｂとから構成されている。このように防水体１９も、操作ボタン１６に一体的に形成され、操作ボタン１６と同様の材料、例えば絶縁性を有する弾性部材であるゴムで形成されたものとなっている。
【００２３】
そして上記電池ホルダ１７は、収容空間１４内において、プリント配線板２０よりも裏ケース１３側に、プリント配線板２０とほぼ平行に配置されている。
前述したように電池ホルダ１７は、収容空間１４の前記断面の外形とほぼ等しい大きさの外形を有している。したがって、プリント配線板２０の裏ケース１３側の面が電池ホルダ１７でほぼ覆われた状態になり、ケース１１を表ケース１２と裏ケース１３とに分解した際、プリント配線板２０の裏ケース１３側の面はほとんど露出しないようになっている。
なお、プリント配線板２０の両面にはそれぞれ、操作ボタン１５，１６に対向する箇所にスイッチ２１が形成されており、ボタン操作に応じた信号を出力するようになっている。
【００２４】
そして表ケース１２、裏ケース１３内に収納された状態では、防水体１８，１９のフランジ１８ｂ，１９ｂは、図２の矢印で示すように、電池ホルダ１７の周縁部１７ｃをその両面から挟み込んだ状態に配設される。したがって、電池ホルダ１７の周縁部１７ｃ付近は確実に封止されることとなる。
【００２５】
上記のように構成された送信機１０の防水構造では、表ケース１２側の防水体１８と裏ケース１３側の防水体１９のそれぞれの本体部１８ａ，１９ａが、表ケース１２、裏ケース１３の内面全体を覆うように配置されるとともに、各操作ボタン１５，１６と一体的に形成されているため、表ケース１２、裏ケース１３に設けられた孔１２ｅ，１３ｅと各孔１２ｅ，１３ｅに挿入された操作ボタン１５、１６との隙間から収容空間１４へ水及び湿気が浸入するのを確実に防止することができる。
【００２６】
また、電池ホルダ１７の平板状の周縁部１７ｃの全周にわたって形成された防水体１８，１９のフランジ１８ｂ，１９ｂが、電池ホルダ１７の周縁部１７ｃをその両面から挟み込む状態に配置され、これにより電池ホルダ１７の周縁部１７ｃ付近が確実に封止された状態になっているので、万が一、表ケース１２と裏ケース１３との接合部分から水が浸入しても、収容空間１４への水及び湿気の浸入を阻止することができる。
【００２７】
さらに、操作ボタン１５，１６と防水体１８，１９とが一体的に形成されているため、従来のように裏ケース１３の孔１３ｅ付近を防水するための専用の固定パーツを必要とせず、操作ボタン１５，１６と防水体１８，１９とを一つの金型により形成することができる。また固定パーツが不要であることから、これを接着剤等により固定する処理も行わずに済む。したがって、部品点数を削減でき、かつ製造効率を向上させることができるので、全体の製造コストを削減することができる。
【００２８】
また本実施の形態では、プリント配線板２０の裏ケース１３側の面が電池ホルダ１７でほぼ覆われた状態になっており、ケース１１を表ケース１２と裏ケース１３とに分解した際にも、プリント配線板２０が外部に露出する部分は非常に少なく、電池交換に際し外部からの静電気によってプリント配線板２０に形成されている回路等が破壊される可能性を大幅に低減することができる。
【００２９】
さらに、表ケース１２の内面全体を覆う防水体１８と、裏ケース１３の内面全体を覆う防水体１９とによって、ケース１１の内面全体が保護されているため、舗装された道路に落下させた場合等の衝撃からプリント配線板２０を保護することができるといった長所も有している。しかも、これら防水体１８，１９は絶縁性のゴムからなっており、ケース１１の内面全体が絶縁された状態になっているので、外部からプリント配線板２０の回路等にノイズが入り込み難いという効果も得ることができる。
なお、上記した実施の形態では送信機を例に挙げて説明したが、本発明はこれに限定されるものではなく、例えば、両面にボタンを有する携帯型電子アラ−ムや電子遊戯器に適用することができる。
【００３０】
【発明の効果】
以上説明したように本発明に係る電子機器の防水構造では、電池ホルダが収容空間を各ケースパーツ側に仕切るように収容空間に配設された構成により、ケースを分解した際に電池ホルダの外部に露出する側と反対側の収容空間にプリント配線板が配置されていれば、プリント配線板のほとんどが電池ホルダで覆われて外部に露出しないので、電池交換に際し外部からの静電気によってプリント配線板に形成されている回路等が破壊される確率を大幅に低減することができる。
また各ケースパーツの防水体が、操作ボタンと一体的に形成され、かつケースパーツの内面全体を覆っているので、各ケースパーツの操作ボタン用の孔と操作ボタンとの隙間から収容空間への水及び湿気の浸入を防止することができるとともに、落下等の衝撃に強いものとなる。さらに電池ホルダの周縁部の全周にわたって形成された防水体のフランジが電池ホルダの周縁部をその両面から挟み込む状態で設けられていることから、電池ホルダの周縁部付近を確実に封止できる。また、操作ボタンと防水体とが一体的に形成されていることにより、部品点数を削減でき、かつランニングコストも低減できるので、電子機器を安価に製造できる。
【図面の簡単な説明】
【図１】本発明に係る送信機の防水構造の実施の形態を示す断面図である。
【図２】図１に示した送信機の防水構造の要部を示す拡大断面図である。
【図３】図１に示した送信機のケースを分解したときの表ケース側を示す斜視図である。
【図４】従来の送信機の防水構造を説明するための図であり、（ａ）はケースを分解したときの表ケース側を示す斜視図、（ｂ）はケースを分解したときの裏ケース側を示す組み立て分解斜視図、（ｃ）は表ケースを示す斜視図である。
【図５】従来の送信機の防水構造を示す断面図である。
【符号の説明】
１０…送信機、１１…ケース、１２…表ケース、１２ｅ，１３ｅ…孔、１３…裏ケース、１４…収容空間、１５，１６…操作ボタン、１７…電池ホルダ、１７ｃ…周縁部、１８，１９…防水体、１８ａ，１９ａ…本体部、１８ｂ，１９ｂ…フランジ
【図１】
0004301625.tif 000002
【図２】
0004301625.tif 000003
【図３】
0004301625.tif 000004
【図４】
0004301625.tif 000005
【図５】
0004301625.tif 000006